(57)【要約】【課題】本の見開きの資料及び厚手の資料、及び小型のはがき大の資料の情報の取り込みをハンドコピー及びハンドファックス、ハンドスキャナーを用いてゆがみなく、きれいに複写することを可能にしインクの消費を節約することができる。【解決手段】合わせ及び強化ガラス及び透明アクリル板の特性を利用したハンドコピー及びハンドファックス、ハンドスキャナーを使用するときの透明平面板の左端に枠４を設けハンドコピー及びハンドファックス、ハンドスキャナーのガイドラインを設けた、複写、及び情報を取り入れるときに使用する補助器具。又、枠１、２、３、４に目盛り表示をもうけ、ハンドコピー及びハンドファックス、ハンドスキャナーが透明平面板上をスライドするときの目安とする補助器具。遮光性を有する枠１，２，３，４を設けた補助器具。【選択図】    図１
2004187252.tif 000002
【特許請求の範囲】
【請求項１】
合わせ及び強化ガラス及び透明アクリル板の透明度及び、強度の特性を利用したハンドコピー及びハンドファックス、ハンドスキャナーを使用する時の補助器具で、透明平面板５の左端に厚さ１ｍｍ以上の厚み、幅０．５ｃｍ以上を有する可動もできる遮光枠４
【図２】をもうけた、ハンドコピー、及びハンドファックス、ハンドスキャナーを使用する時の補助器具。
【請求項３】
請求項１における透明平面板５上において、用紙のサイズ及び長さの単位の表示をもうけてある表面を有するハンドコピー、及びハンドファックス、ハンドスキャナーを使用する時の補助器具。
【請求項４】
請求項１における平面上の周囲に遮光性を有する、一定の幅の枠をもうけてあるハンドコピー、及びハンドファックス、ハンドスキャナーを使用する時の補助器具。
【発明の詳細な説明】
【０００１】
【発明の属する技能分野】
本発明は、ハンドコピー、及びハンドファックス、ハンドスキャナーを使用する際に、効率よくぶれないように、より正確に複写し、又情報の取り込みを補助することに関する。
【０００２】
【従来の技術】
従来のハンドコピー、及びハンドファックス、ハンドスキャナーは厚みのある資料を複写し、情報の取り込みできるという利点がある
【０００３】
【発明が解決しようとする課題】
しかしながら、ハンドコピー、及びハンドファックス、ハンドスキャナーは複写するとき厚みのある資料や見開き原稿の上を手で持って、スライドさせるために、資料の角にハンドコピー、及びハンドファックス、ハンドスキャナーがひっかかって手がぶれてしまったり、見開いた書類の中央の谷間の部分にハンドコピー、及びハンドファックス、ハンドスキャナーが凹凸の部分につまづいて資料の読み取りができずに、部分的に複写ができずにゆがんで飛んでしまうという不利がある。
【図３】。
【０００４】
【課題を解決するための手段】
本発明は複写し、情報を取り込もうとする資料の上に、透明でかつ、容易に割れることがない合わせガラス及び強化ガラス及び透明アクリル板の透明度及び、強度の特性を利用したハンドコピー、及びハンドファックス、ハンドスキャナーを使用する時の補助器具を複写する資料の上に置きその透明平面版５の上をスライドさせることによって上記課題を解決できる。
【０００５】
【実施例】
ハンドコピー、及びハンドファックス、ハンドスキャナーを使用する時の補助器具は
【図１】に示されるように、本体は上下左右枠をのぞく中央部分を透明な強化ガラスまたは合わせガラス又はアクリル板によって作られている。さらに周囲から余分な光が侵入しないように、ハンドコピー及びハンドファックス、ハンドスキャナーを使用するときの補助器具の周囲は遮光性を有する紙およびフィルム、アクリル板、スリガラス、木片、金属板などの材質からなる遮光枠１、２、３、４を設ける。又
【図２】の示すように遮光枠４においては、原稿のサイズにあわせられるよに左右に可動できるように着脱式にしてもよい。
【０００６】
本発明ハンドコピー、及びハンドファックス、ハンドスキャナーを使用する時の補助器具は
【図２】に示すように、遮光枠４は透明平面版の平面上から１ｍｍ以上の厚みを有するものとする。この段差によって、ハンドコピー及びハンドファックス、ハンドスキャナーが透明平面版の平面上をスライドする時のガイドラインとすることができる。
【０００７】
原稿のサイズを遮光枠の１と２、３、４の遮光枠に
【図１】のようにはがき、Ａ５、Ｂ５、と表示することもできる。
【０００８】
遮光枠２と４の部分に
【図１】のように示されたように遮光枠１の端からの長さを示す目盛又は印を表示させることもできる。この表示により複写する際ハンドコピー及びハンドファックス、ハンドスキャナーを使用するときの補助器具を資料のうえに設置してハンドコピー及びハンドファックス、ハンドスキャナーをスライドさせたときに、遮光枠２と遮光枠４の目盛りにハンドコピー及びハンドファックス、ハンドスキャナーの両端をそれぞれの目盛りに合わせながらスライドさせる事により、同じ感覚でハンドコピー及びハンドファックス、ハンドスキャナーを移動させることができるので上下に手で移動させるときにおきやすい、ぶれを減少させることができる。
【０００９】
【発明の効果】
本発明は厚みのある原稿の上にハンドコピー、及びハンドファックス、ハンドスキャナーを使用する時の補助器具を設置し、ハンドコピー、及びハンドファックス、ハンドスキャナーを使用する時の補助器具の透明平面板上に設けられている遮光枠４は透明平面板より高く設置されている
【図２】のでハンドコピー及びハンドファックス、ハンドスキャナーの左端を、枠４に接触させてガイドラインとして用いることにより、ハンドコピー及びハンドファックス、ハンドスキャナーを左右、上下のぶれを減少させることができる。
【００１０】
見開きの本を複写するときに
【図３】、ページとページの間の谷間も
【図３】で示すように、ハンドコピー、及びハンドファックス、ハンドスキャナーを使用する時の補助器具を設置することにより、見開きの本の端、及びページとページの谷間も平面になるので、ハンドコピー、及びハンドファックス、ハンドスキャナーをスライドさせるとき、資料の角や谷間にハンドコピー＿、ハンドファックス、ハンドスキャナーが引っかかることがなくスムーズにスライドさせ複写もれ、文字のゆがみ、複写飛びを減少させることができる。
【００１１】
遮光枠１、２、３、４を透明平面板の周囲に設けることにより、複写時に不必要な光を取り込むことがなく、かつ普通紙使用のハンドコピー、及びハンドファックス、ハンドスキャナーにおいては黒刷り部分を減少させることにより印刷物がインクによってべたつかず、かつ不必要なインクの消費を節約できる。
【００１２】
さらには家庭用のコピー機をそなえた普通紙使用のファックス付電話の使用において、ハンドコピーの欠点である左右上下のぶれ、文字のゆがみ、複写飛び欠損を防ぐことができ、ハンドタイプの良さを最大限に有効使用することができる。また、ファックスにおいても厚みのある本などの資料の送信やはがき等の小型の原稿も、ハンドコピー、及びハンドファックス、ハンドスキャナーを使用する時の補助器具を上に設置することにより送信することができる。
【００１３】
本発明品ハンドコピー、及びハンドファックス、ハンドスキャナーを使用する時の補助器具を強化ガラス及び合わせガラスを用いるならば傷がつきにくく透明度を長期に持続させる事ができ、かつ万一破損したときにも破片が飛び散ることがなく安全である。
【図面の簡単な説明】
【図１】本発明におけるハンドコピー、及びハンドファックス、ハンドスキャナーを使用する時の補助器具の平面図である。
【図２】本発明のＡ−Ａ′における断面図である。
【図３】本発明を見開いた本の原稿の上に設置したときの側面図である。
【符号の説明】
１、  遮光枠上部
２、  遮光枠右部
３、  遮光枠下部
４、  ガイド板遮光枠左部
５、  透明平面板
６、  原稿となる見開きの本の側面
【図１】
2004187252.tif 000003
【図２】
2004187252.tif 000004
【図３】
2004187252.tif 000005